(57)【要約】【課題】倒伏した便蓋と便座ボックス、ロータンクカバー等のケースとの間の間隙を小さくすることができる便蓋装置を提供する。【解決手段】便座ボックス１２の側面に便蓋用回動用アーム２６が設けられている。該アーム２６の基端側は便座ボックス１２内の便蓋駆動装置と連結され、その先端側に設けた摺動体２６ｂが便蓋１４下面にあるガイド片２２のスリット２３に摺動自在に係合している。アーム２６の回動により便蓋１４が開閉する。便座ボックス１２の上面前縁１２ｃに便蓋１４の主板部１４ａ後縁が対面し、主板部１４ａの側縁後端の小片２０にある支軸２１が便座ボックス１２の側面に連結されている。便座ボックス１２上面のうち主板部１４ａ後端と対面する位置に、起立時に該後縁が入り込むための溝１２ｂが設けられている。【選択図】  図６
2004298224.tif 000002
【特許請求の範囲】
【請求項１】
洋風便器の後部上面に設置されたケースと、該ケースに対し起倒回動可能に連結された便蓋とを有する便蓋装置において、
該便蓋下面に前後方向に延在するガイド部が設けられており、
駆動装置によって上下方向に回動される便蓋開閉用アームが該ケースに設けられており、
該アームの先端側が前記ガイド部に係合しており、該アームの回動に伴って該便蓋が開閉することを特徴とする便蓋装置。
【請求項２】
請求項１において、前記便蓋は、倒状したときにその後縁が該ケースの上面に重なるように配置されていることを特徴とする便蓋装置。
【請求項３】
請求項２において、該ケースの上面には、便蓋が起立したときに該便蓋の後縁が入り込む溝が設けられていることを特徴とする便蓋装置。
【請求項４】
請求項１ないし３のいずれか１項において、該便蓋の後部の両サイドに設けられた垂下部が、該ケースの側面に回動自在に軸支されていることを特徴とする便蓋装置。
【請求項５】
請求項１ないし４のいずれか１項において、該ガイド部はスリット又は溝よりなり、前記アームの先端側に設けられた摺動体が該ガイド部に摺動自在に係合していることを特徴とする便蓋装置。
【請求項６】
洋風便器の後部上面に設置されたケースと、該ケースに対し起倒回動可能に連結された便蓋とを有する便蓋装置において、
前記便蓋は、倒状したときにその後縁が該ケースの上面に重なるように配置されており、
該ケースの上面には、便蓋が起立したときに該便蓋の後縁が入り込む溝が設けられていることを特徴とする便蓋装置。
【発明の詳細な説明】
【０００１】
【発明の属する技術分野】
本発明は、洋風便器に設置される便蓋装置に関するものであり、特に駆動装置によって便蓋を開閉させるようにした便蓋電動開閉機構付き便蓋装置に適用するのに好適な便蓋装置に関する。
【０００２】
【従来の技術】
洋風便器の後部上面に便座ボックスやロータンクカバーが設置され、この便座ボックス又はロータンクカバーの前面に便座及び便蓋を起倒方向回動可能に取り付けた洋風便器設備が広く用いられている。また、この便蓋を電動式開閉機構によって開閉させるようにした便蓋装置も広く用いられている。この場合、人体検知センサの検知信号や開放スイッチ操作により便蓋が開放し、人体不検知又は閉止スイッチ操作により便蓋が閉まる。
【０００３】
第８図は便座ボックスを備えた洋風便器の一例を示し、第９図はロータンクカバーを備えた洋風便器の一例を示している。
【０００４】
第８図では、洋風便器１の後部上面にロータンク２が設置され、このロータンク２の前側に便座ボックス３が設置されている。この便座ボックス３に対し便座４と便蓋５とが起倒方向（上下方向）回動可能に連結されている。この便座ボックス３内には、便蓋の電動開閉装置のほか、便座着座者の臀部を温水で洗浄するための温水洗浄装置等が設置されている。
【０００５】
第９図では、洋風便器１の後部上面にロータンクカバー６が設置され、このロータンクカバー６に対し便座４と便蓋５とが起倒回動可能に取り付けられている。このロータンクカバー６内には、便蓋の電動開閉装置のほか、ロータンク、温水洗浄装置等が設置されている。
【０００６】
なお、便座ボックス３内及びロータンクカバー内の電動開閉装置と便蓋との一方には支軸（ヒンジシャフト）が設けられており、この支軸がモータ等によって回転駆動されることにより、便蓋５が該支軸を回動中心として上下方向即ち起倒方向に回動する。なお、このように従来の電動開閉機構付き便蓋装置にあっては、該支軸を介して便蓋を回動させるので、支軸は便蓋回動トルクを伝達しうるように太い高強度のものとなっている。
【０００７】
この便蓋５と便座ボックス３又はロータンクカバー６との間には便座５の起倒回動を許容するように所定の間隙があいている。なお、この間隙を過度に狭くすると、便蓋５を起立させるときに便蓋５の後縁が便座ボックス３又はロータンクカバー６に当ってしまう。
【０００８】
特開２００１−３２３５３５号の第０００３段落では、この間隙に塵やゴミが入るという問題点が指摘されているが、この間隙を狭くするという構成は同号公報を含めて、従来、提案されていない。
【０００９】
【特許文献１】
特開２００１−３２３５３５号公報
【００１０】
【発明が解決しようとする課題】
本発明は、倒伏した便蓋と便座ボックス、ロータンクカバー等のケースとの間隙を小さくすることができる便蓋装置を提供することを目的とする。
【００１１】
【課題を解決するための手段】
本発明（請求項１）の便蓋装置は、洋風便器の後部上面に設置されたケースと、該ケースに対し起倒回動可能に連結された便蓋とを有する便蓋装置において、該便蓋下面に前後方向に延在するガイド部が設けられており、駆動装置によって上下方向に回動される便蓋開閉用アームが該ケースに設けられており、該アームの先端側が前記ガイド部に係合しており、該アームの回動に伴って該便蓋が開閉することを特徴とするものである。
【００１２】
かかる本発明の便蓋装置は、電動開閉機構付き便蓋装置であり、アームが上方に回動した場合、便蓋がガイド部を介してアームの先端側で上方に押し上げられ、起立（開放）する。逆にアームが下方に回動する場合には、便蓋がガイド部を介して倒状方向の力が加えられ、便蓋が倒状（閉止）する。
【００１３】
本発明の電動開閉機構付き便蓋装置では、このガイド部を設けているので、便蓋の支軸は、単に便蓋の回動を支えるだけの機能が必要とされ、便蓋を開閉させるためのトルクを伝達させる機能は必要としない。このため、本発明では、便蓋の支軸を細くすることができる。この細い支軸を便蓋の最後縁に著しく近接配置した場合、便蓋が開閉するときの便蓋後縁の旋回半径は極く小さいものとなる。従って、便蓋の後縁をケースに著しく近接させることが可能となり、ケースと便蓋後縁との隙間を小さくすることが可能となる。
【００１４】
本発明は、特に便蓋が倒状したときにその後縁がケースの上面に重なるように配置されている場合に好適である。
【００１５】
この場合、便蓋が起立したときに便蓋の後縁が入り込む溝をケース上面に設けておくことが好ましい。
【００１６】
このように構成した場合、倒状状態の便蓋の後縁をケース上面にほぼ当接する程度にまで近接配置することができる。
【００１７】
本発明（請求項６）の便蓋装置は、洋風便器の後部上面に設置されたケースと、該ケースに対し起倒回動可能に連結された便蓋とを有する便蓋装置において、前記便蓋は、倒状したときにその後縁が該ケースの上面に重なるように配置されており、該ケースの上面には、便蓋が起立したときに該便蓋の後縁が入り込む溝が設けられていることを特徴とするものである。
【００１８】
この便蓋装置は、電動開閉機構を有しない場合に好適であり、この場合には、便蓋を枢支するための支軸は細くて足りる。そのため、この支軸を便蓋の最後縁の直近に配置することにより、上記と同様に、該便蓋の後縁とケースとの間隔を小さくすることができる。また、便蓋が起立するときには、ケース上面に設けた溝に該便蓋の後縁が入り込むので、上記と同様に倒状状態の便蓋の後縁をケース上面にほぼ当接する程度にまで近接配置することができる。
【００１９】
【発明の実施の形態】
以下、図面を参照して本発明の実施の形態について説明する。
【００２０】
第１図は本発明の実施の形態に係る便蓋装置を備えた洋風便器の斜視図、第２図は第１図の便蓋装置の側面図、第３図（ａ）は第１図の便蓋の裏側の斜視図、第３図（ｂ）は第３図（ａ）のＢ−Ｂ線に沿う断面図、第４図は第１図の便座ボックスの斜視図、第５図（ａ）は第４図のＶ部分の拡大斜視図、第５図（ｂ）は第４図のＶ部分の平面図、第６図は第１図の便蓋装置の分解斜視図、第７図（ａ）は第１図の便蓋装置の便蓋倒状状態を示す透視側面図、第７図（ｂ）は第１図の便蓋装置の便蓋起立状態を示す透視側面図である。
【００２１】
なお、以下の説明において、前後方向及び左右方向とは便座に腰掛けた洋風便器使用者にとっての前後方向及び左右方向をいう。
【００２２】
第１図に示す通り、この実施の形態に係る便蓋装置１０は、ケースとしての便座ボックス１２と、この便座ボックス１２にそれぞれ起倒回動可能に取り付けられた便蓋１４及び便座１６とを備えている。この便蓋装置１０は、洋風便器１８の後部上面に載置されている。
【００２３】
便蓋１４は、第３図に示すように、主板部１４ａと、後端を除く該主板部１４ａの周縁から下面（便蓋１４が倒状状態とされたときの下面）側に曲成された垂壁状部１４ｂと、該垂壁状部１４ｂの両端と隣接し、主板部１４ａの側縁の後端から下面に曲成された１対の小片２０と、該主板部１４ａの下面の左後ろ寄りの位置に設けられたガイド片２２とを有している。この垂壁状部１４ｂは、該主板部１４ａの左右の側縁とこれらを繋ぐ前縁とに沿ってＵ字状に形成されており、その両端は該主板部１４ａの後端よりも若干手前まで延在している。該垂壁状部１４ｂの両端よりも後方の位置には、該主板部１４ａの側縁から下面側に垂設された１対の小片２０を有している。この１対の小片２０の下端は略半円状に湾曲している。また、この１対の小片２０の対向する面からは、支軸２１が突設されている。ガイド片２２は便蓋１４の前後方向に延在する細長い略長方形の板状であり、便蓋１４の前後方向に延在するガイド部としてのスリット２３（長孔）が設けられている。
【００２４】
便座ボックス１２の前面の下部には、第４図に示す通り、凸部１２ａが設けられている。この凸部１２ａの左側面に設けられた軸挿通用開口を通って、便座用回動軸２４が突設されている。該回動軸２４の基端側は便座ボックス１２内に配置された便座回動装置（図示略）に連結されている。この回動軸２４にアーム２６の基端側が外嵌している。該アーム２６の基端側には、駆動用筒体２４ａ（第３図（ａ）参照）が一体に設けられており、この駆動用筒体２４ａに該便座用回動軸２４が挿通されている。この駆動用筒体２４ａは、便座ボックス１２内に差し込まれており、該便座ボックス１２内に設けられた便蓋駆動装置（図示略）に連結されている。アーム２６は、この便蓋駆動装置によって該筒体２４ａを回動中心として上下方向に回動される。アーム２６の先端側にはボタン状の摺動体２６ｂが一体に設けられており、この摺動体２６ｂが前記スリット２３に摺動自在に係合している。
【００２５】
凸部１２ａの反対側の側面には、便座を回動自在に支持する支軸（図示略）が設けられている。
【００２６】
便座ボックス１２の上面の前部には、左右方向にわたり溝１２ｂが延設されている。第５図に示す通り、この便座ボックス１２の上面のうち溝１２ｂよりも前側の面（以下、上面前縁ということがある。）１２ｃは、溝１２ｂより後ろ側の上面よりも便蓋１４の主板部１４ａの厚さ分だけ低くなっている。上面前縁１２ｃの後端側は、溝１２ｂに向ってなだらかに下降した凸に湾曲した傾斜面１２ｄとなっている。
【００２７】
第５図（ａ）に示す通り、便座ボックス１２の両側面のうち該上面前縁１２ｃの側方部分には、便蓋１４の小片２０を受け入れるための凹部１２ｅが設けられている。該凹部１２ｅの深さは該小片２０の厚さと同一である。該凹部１２ｅには、小片２０に突設された前記支軸２１が摺動自在に嵌合する軸受孔１２ｆが設けられている。
【００２８】
便座１６は、第６図に示す通り、その後端に１対の延出部１６ａが設けられている。該一方の延出部１６ａには、前記回動軸２４が連結されており、該回動軸２４の回転によって便座１６が起倒回動するよう構成されている。
【００２９】
かかる構成を有した便蓋装置１０の起立倒状動作について以下に説明する。
【００３０】
第７図（ａ）に示す通り、便蓋１４の倒状状態において、アーム２６の先端の摺動体２６ｂがスリット２３の前端に位置している。
【００３１】
便蓋１４を起立させるときには、便座ボックス１２内の便蓋回動装置が作動して、アーム２６を回動させる。アーム２６が上向きに回動すると、該アーム２６の摺動体２６ｂがスリット２３内を後方に向って摺動し、便蓋１４は、その支軸２１を支点として、起立回動する。該便蓋１４の回動に際し、便蓋１４の主板部１４ａの後縁は、便座ボックス１２の傾斜面１２ｄと対面しながら移動し、溝１２ｂ内に入り込む。
【００３２】
第７図（ｂ）に示す通り、最終的にアーム２６の摺動体２６ｂがスリット２３の後端側まで移動し、便蓋１４の起立が完了する。なお、この起立完了時には、便蓋１４の後縁は、溝１２ｂの底面に当接している。この起立完了時には、便蓋１４は若干、後傾している。
【００３３】
便蓋１４の倒状の際には、上記起立の際と逆の動作が行われる。即ち、第７図（ｂ）においてアーム２６が反時計方向に回動し、便蓋１４が倒状方向に回動して第７図（ａ）の閉止状態となる。
【００３４】
この便蓋装置は、便蓋１４にガイド片２２を設けているので、便蓋１４の支軸２１は、単に便蓋１４の回動を支えるだけの機能が必要とされ、便蓋１４を開閉させるためのトルクを伝達させる機能は必要としない。このため、本発明では、便蓋１４の支軸２１を細くすることができる。この細い支軸２１を便蓋１４の最後縁に著しく近接配置した場合、便蓋１４が開閉するときの便蓋後縁の旋回半径は極く小さいものとなる。従って、便蓋１４の後縁を便座ボックス１２に著しく近接させることが可能となり、便座ボックス１２と便蓋１４後縁との隙間を小さくすることが可能となる。
【００３５】
この便蓋装置１０は、便蓋１４が倒状したときにその後縁が板座ボックス１２の上向きの上面に重なるように配置されており、且つ便蓋１４が起立したときに便蓋１４の後縁が入り込む溝１２ｂを便座ボックス１２上面に設けている。このため、倒状状態の便蓋１４の後縁を便座ボックス１２上面にほぼ当接する程度にまで近接配置することができる。
【００３６】
この便蓋装置１０は、便座ボックス１２の上面に刻設された溝１２ｂが極めて浅く且つ幅狭であることから、便蓋１４の倒状時に該溝１２ｂが目立つことがなく、便蓋１４と便座ボックス１２が一体的に視認されるため、美観に優れている。即ち、この便蓋装置１０は、アーム２６を便蓋回動装置によって回動させることにより便蓋１４を起倒させるものであり、小片２０に設けられた支軸２１を便蓋回動装置によって回動させるものではないため、支軸２１に大きな力は加わらない。このため、該支軸２１の径を小さくし、且つ該支軸２１を便蓋１４の後端直近に取り付けることができる。従って、便蓋１４の後端のうち便蓋１４の起立時に便座ボックス１２の溝１２ｂに挿入する部分は極く僅かであり、このため、該溝１２ｂを浅く且つ幅狭にすることができる。
【００３７】
この便蓋装置１０は、便座ボックス１２と便蓋１４の上面が面一であり、且つ側面も面一であるため、便座ボックス１２と便蓋１４が一体的に視認され、美観に優れる。
【００３８】
上記の実施の形態は本発明の一例であり、本発明は上記の実施の形態に限定されない。
【００３９】
上記実施の形態では、便座ボックス１２の上面に刻設された溝１２ｂの側面（立面）のうち、後方側の立面は、平面形状を有しているが、第１０図（ａ）及び（ｂ）に示す通り、便蓋１４の主板部１４ａの後縁が溝内を回動移動する軌跡に沿うようにして溝の後方側の立面が湾曲した溝１２ｂ’としてもよい。この場合、便蓋１４の倒状状態において、主板部１４ａの後縁と便座ボックス１２’の上面との間の距離をより一層小さくすることが可能であり、便座ボックス１２と便蓋１４が一層一体的に視認され、美観に極めて優れる。
【００４０】
また、本発明では、第１１図（ａ）及び（ｂ）に示す通り、便蓋１４’の主板部１４ａ’の後縁を円弧状に湾曲した形状としてもよい。このようにすれば、溝１２ｂの幅がさらに小さなもので足りるようになる。
【００４１】
上記実施の形態では、アーム２６は便座ボックス１２の凸部１２ａの１つの側面にのみ設けたが、両側面に設けてもよい。
【００４２】
上記実施の形態では、便座１６は凸部１２ａ内の便座回動装置によって回動するようになっているが、該便座回動装置を省略してもよい。
【００４３】
上記実施の形態では、便蓋１４は凸部１２ａ内の便蓋回動装置によって回動するようになっているが、該便座回動装置及びアーム２６を省略し、便蓋を手動で回動するようにしてもよい。
【００４４】
上記実施の形態ではケースとして便座ボックスを採用しているが、この便座ボックスの変わりにロータンクカバーを採用してもよい。
【００４５】
【発明の効果】
以上の通り、本発明の便蓋装置によると、倒伏した便蓋と便座ボックス、ロータンクカバー等のケースとの間の間隙を小さくすることができ、これにより、この間隙に塵やゴミ等が入り込むことを抑制することが可能となる。
【図面の簡単な説明】
【図１】実施の形態に係る便蓋装置を備えた洋風便器の斜視図である。
【図２】図１の便蓋装置の側面図である。
【図３】（ａ）図は図１の便蓋の裏側の斜視図であり、（ｂ）図は（ａ）図のＢ−Ｂ線に沿う断面図である。
【図４】図１の便座ボックスの斜視図である。
【図５】（ａ）図は図４のＶ部分の拡大斜視図、（ｂ）図は図４のＶ部分の平面図である。
【図６】図１の便蓋装置の分解斜視図である。
【図７】（ａ）図は図１の便蓋装置の便蓋倒状状態を示す透視側面図であり、（ｂ）図は図１の便蓋装置の便蓋起立状態を示す透視側面図である。
【図８】従来の便座ボックスを備えた洋風便器を示す斜視図である。
【図９】他の従来の便座ボックスを備えた洋風便器を示す斜視図である。
【図１０】（ａ）図は別の実施の形態に係る便蓋装置の便蓋倒状状態を示す部分的な透視側面図であり、（ｂ）図は（ａ）図と同一部分の便蓋起立状態を示す部分的な透視側面図である。
【図１１】（ａ）図は他の実施の形態に係る便蓋装置の便蓋倒状状態を示す部分的な透視側面図であり、（ｂ）図は（ａ）図と同一部分の便蓋起立状態を示す部分的な透視側面図である。
【符号の説明】
１  洋風便器
３，３Ａ  便座ボックス
３ａ  凸部
４  便座
５  便蓋
６  ロータンクカバー
１０  便蓋装置
１２  便座ボックス
１２ａ  凸部
１２ｂ，１２ｂ’  溝
１２ｃ  上面前縁
１２ｄ  傾斜面
１２ｅ  凹部
１２ｆ  軸受孔
１４，１４’  便蓋
１４ａ，１４ａ’  主板部
１４ｂ  垂壁状部
１６  便座
１６ａ  延出部
１８  洋風便器
２０  小片
２１  支軸
２２  ガイド片
２３  スリット
２４  便座用回動軸
２４ａ  駆動用筒体
２６  アーム
２６ｂ  摺動体
【図１】
2004298224.tif 000003
【図２】
2004298224.tif 000004
【図３】
2004298224.tif 000005
【図４】
2004298224.tif 000006
【図５】
2004298224.tif 000007
【図６】
2004298224.tif 000008
【図７】
2004298224.tif 000009
【図８】
2004298224.tif 000010
【図９】
2004298224.tif 000011
【図１０】
2004298224.tif 000012
【図１１】
2004298224.tif 000013